(57)【要約】【課題】電磁波による電磁誘導作用により起電力を獲得し作動する非接触型ＩＣカードにおいて、長時間の電磁波放射による発熱を原因とする電子データ及びデータ通信を保守する。また、非接触型ＩＣカードの溶解等を防止する。【解決手段】非接触型ＩＣカード２５に電磁波を放出するＲ／Ｗ端末部の電源回路１８をコントロール部３のＣＰＵ２０ａで制御し、電子データの書込み及び読込みのときのみ、非接触型ＩＣカード２５が作動するのに十分な電力を確保できる電磁波をアンテナコイルＬ１から放出することが可能な基準電力を供給する。また、データの書込み及び読込みが終了したら、基準電力以下に電力の供給を低減する。【選択図】図４
2006195730.tif 000002
【特許請求の範囲】
【請求項１】
電力供給手段から供給される電力を電磁波に変換し、該電磁波を介して非接触型ＩＣカードと無線交信を行う非接触型ＩＣカードのリーダ／ライタ装置において、
前記非接触型ＩＣカードに対する既存データの読出し時と新規データの書込み時以外の時は電磁波の放出を停止又は抑制する制御手段を備えたことを特徴とする非接触型ＩＣカードのリーダ／ライタ装置。
【請求項２】
請求項１に記載の非接触型ＩＣカードのリーダ／ライタ装置において、
前記制御手段は、電力の供給又は停止若しくは抑制を指示する電力供給指示情報を前記電力供給手段に送信することにより、前記電磁波の放出又は停止若しくは抑制を行うことを特徴とする非接触型ＩＣカードのリーダ／ライタ装置。
【請求項３】
請求項２に記載の非接触型ＩＣカードのリーダ／ライタ装置において、
前記制御手段は、前記非接触型ＩＣカードからの既存データの読出し時に、当該データを構成するコード群からデータ終了コマンドを判別した場合、前記電力供給指示情報を前記電力供給手段に送信し、前記電磁波の放出又は停止若しくは抑制を行うことを特徴とする非接触型ＩＣカードのリーダ／ライタ装置。
【請求項４】
請求項２又は３に記載の非接触型ＩＣカードのリーダ／ライタ装置において、
前記制御手段は、前記新規データの書込み時に、前記電力供給指示情報を前記電力供給手段に送信し前記電磁波の放出を開始することを特徴とする非接触型ＩＣカードのリーダ／ライタ装置。
【請求項５】
請求項１〜４のいずれか一項に記載の非接触型ＩＣカードのリーダ／ライタ装置において、
前記制御手段は、前記既存データの読込み時に該データの特定部分を記憶し、前記新規データの書込み時に、前記非接触型ＩＣカードから再度前記既存データを読込み、該既存データ中の前記特定データと対応する部分と前記特定データとが一致する場合に、前記電磁波の供給を開始し前記新規データを書込むことを特徴とする非接触型ＩＣカードのリーダ／ライタ装置。
【請求項６】
請求項５に記載の非接触型ＩＣカードのリーダ／ライタ装置において、
前記特定データは、カード識別データ、カード所有者識別データ又はこれらの組合せのいずれか一つであることを特徴とする非接触型ＩＣカードのリーダ／ライタ装置。
【請求項７】
電力供給手段から供給される電力を電磁波に変換し、該電磁波を介して非接触型ＩＣカードと無線交信を行う非接触型ＩＣカードのリーダ／ライタ装置において、
前記非接触型ＩＣカードを検出する検出手段と、
前記検出手段により前記非接触型ＩＣカードが検出された時点で前記非接触型ＩＣカードに対する既存データの読出しを開始し、当該既存データの読出しが終了した時点で前記電磁波の放出を停止又は抑制を行い、前記非接触型ＩＣカードに書き込むべき新規データが確定した場合に電磁波の放出を開始する制御手段を備えることを特徴とする非接触型ＩＣカードのリーダ／ライタ装置。
【請求項８】
請求項７に記載の非接触型ＩＣカードのリーダ／ライタ装置において、
前記検出手段は、前記非接触型ＩＣカードを搭載するカード搭載手段に設けられていることを特徴とする非接触型ＩＣカードのリーダ／ライタ装置。
【請求項９】
請求項７又は８に記載の非接触型ＩＣカードのリーダ／ライタ装置において、
前記制御手段は、電力の供給又は停止若しくは抑制を指示する電力供給指示情報を前記電力供給手段に送信することにより、前記電磁波の放出又は停止若しくは抑制を行うことを特徴とする非接触型ＩＣカードのリーダ／ライタ装置。
【請求項１０】
請求項７〜９のいずれか一項に記載の非接触型ＩＣカードのリーダ／ライタ装置において、
前記制御手段は、前記非接触型ＩＣカードからの既存データの読出し時に、当該データを構成するコード群からデータ終了コマンドを判別した場合、前記電力供給指示情報を前記電力供給手段に送信し、前記電磁波の放出を停止又は抑制することを特徴とする非接触型ＩＣカードのリーダ／ライタ装置。
【請求項１１】
請求項７〜１０のいずれか一項に記載の非接触型ＩＣカードのリーダ／ライタ装置において、
前記制御手段は、前記新規データの書込み時に、前記電力供給指示情報を前記電力供給手段に送信し前記電磁波の放出を開始することを特徴とする非接触型ＩＣカードのリーダ／ライタ装置。
【請求項１２】
請求項７〜１１のいずれか一項に記載の非接触型ＩＣカードのリーダ／ライタ装置において、
前記制御手段は、前記既存データの読込み時に該データの特定部分を記憶し、前記新規データの書込み時に、前記非接触型ＩＣカードから再度前記既存データを読込み、該既存データ中の前記特定データと対応する部分と前記特定データとが一致する場合に、前記電磁波の供給を開始し前記新規データを書込むことを特徴とする非接触型ＩＣカードのリーダ／ライタ装置。
【請求項１３】
請求項１２に記載の非接触型ＩＣカードのリーダ／ライタ装置において、
前記特定データは、カード識別データ、カード所有者識別データ又はこれらの組合せのいずれか一つであることを特徴とする非接触型ＩＣカードのリーダ／ライタ装置。
【発明の詳細な説明】
【技術分野】
【０００１】
本発明は、非接触型ＩＣカードのリーダ／ライタ装置に係り、特に、データの読込み及び／又は書込みを行うときのみに電力及びデータ供給用の電磁波を放出する非接触型ＩＣカードのリーダ／ライタ装置に関する。
【背景技術】
【０００２】
駅の自動改札や住民基本台帳ネットワークシステム（住基ネット）における住民基本台帳カード等を始め、電磁波を媒介としたデータ通信を行う非接触型のＩＣカードは、近年普及の一途をたどり、その使用分野も多岐にわたっている。
例えば、特許文献１には、購買時に、現金に代わって非接触型ＩＣカードを使用して食券の購入を可能とする自動券売機が提供されている。このような非接触型ＩＣカードには、一定の現金の予納が行われたという電子情報がＩＣチップに記憶されており、カードリーダ／ライタ（以下、単に「カードＲ／Ｗ」という。）により購買品の金額の電子情報が読み込まれると、この予納金額に応じて交換が行われ、その後、購買品の金額が減じられた電子情報がＩＣチップに書き込まれるようになっている。
【０００３】
また、非接触型ＩＣカードは、使用時の非接触性という大きな特徴がある。即ち、機器内部にカード自体が挿入保持等されること無く、例えば、近接型のカードであれば、カードＲ／Ｗと１０ｃｍ程度の距離を隔てていても電子情報の読込みや書込みを瞬時に行うことが可能である。具体的な構造としては、アンテナコイルと、キャパシタを含むＩＣチップが搭載されたＰＥＴフィルム等のインレットシート（基盤）を、オーバーレイシートで狭持する構造を有する。カードをカードＲ／Ｗが発生させる電磁界の中に進入させると、カードに内蔵されたコイルが電磁誘導作用により起電力を発生させ、更に、この電磁波を利用してアンテナコイルからＩＣカード内のメモリに記録された電子情報をカードリーダに送信するようになっている。
【０００４】
また、電子情報の書込みや書換えの場合は、カードＲ／Ｗからの信号をアンテナコイルが受信し、ＩＣチップ内のＭＰＵ（Micro Processing unit）の作用により、メモリとしてのＥＥＰＲＯＭ（Electrical Erasable Programable ROM）等に新たな電子データが記録されることにより行われるようになっている。
【０００５】
このように非接触型ＩＣカードは、電池を搭載せずに電磁誘導を利用した磁界エネルギーにより起電力を得る構成を有する。そのため、電力の確保に関して種々の発明がされている。例えば、特許文献２では、カードの非接触性を生かし、利便性を損なわずに確実な起電力を得ることができるカードＲ／Ｗが、提供されている。即ち、ＩＣカードを確実に保持するために、カードＲ／Ｗ本体のカード載置部にガイドレールを設け、且つ透明な蓋でカード全体を覆うことで突発的な接触等によるカードのズレを防止しつつ確実な起電力を確保する発明が提供されている。
【特許文献１】特開平６−１３１５２１号公報
【特許文献２】特開平１１−１５４２０４号公報
【発明の開示】
【発明が解決しようとする課題】
【０００６】
しかしながら、起電に際しては、非接触型ＩＣカードを構成する電気電子部材に熱が生ずるという問題がある。
例えば、ＩＣチップ等の半導体素子自体の作動にともなう発熱や、カードＲ／Ｗとカードとの距離に比例する磁力の強弱により生ずる過電流からＩＣチップ等の素子を保守するために定電圧ダイオード等の抵抗を設ける場合もあり、この抵抗も発熱の原因となる。
このような熱は、ＩＣチップ等の電子素子やＥＥＰＲＯＭ等のメモリ内の電子情報が破壊され作動不良を生じさせてしまう原因となる。例えば、特許文献１に提供される発明も、カードＲ／Ｗが放出する電磁波が、恒常的に非接触型ＩＣカードに電力を生じさせており、熱による素子や電子情報の破壊等の虞がある。
更には、インレットシートやオーバレイシートが溶解する場合もある。特に、非接触型ＩＣカードが有するインレットシートとオーバレイシートとで電気電子部材を密封する構造は、より熱をこもらせるものである。
【０００７】
又、例えば、駅の自動改札等に設置される非接触型ＩＣカードシステムにおける、自動改札の通過時のように、起電時間が極短時間である場合には、上記問題は生じづらい。しかし、料金の予納（いわゆるチャージ）時には、機器内部にＩＣカードを挿入させたままで、現金等の投入、予納額の選択及びこれらの作業に伴う機器の個別処理等に比較的長時間を要する場合もある。また、住民基本台帳カードを始め、ＩＤ（Identification）カードとして利用される場合には、図１０に示すように、担当者Ｍ１と申請者Ｍ２が対面してお互いに対応を図りながら入力作業を行うこともある。この間、カードＲ／Ｗに載置されたカードには、継続的に電磁波が放出されている。特に、申請者が申請手続に不慣れである場合は、担当者との対応も長時間となる場合もある。更には、入力作業は一般にキーボード等の打ち込みにより行われるから、作業時間が長時間になる傾向がある。
【０００８】
更に、図１１は、発明者が行った実験の結果を示したものである。
近接型の非接触型ＩＣカード（ＩＳＯ／ＩＥＣ１４４４３）２５枚について、カードＲ／Ｗ装置に搭載し１０分間カード通電状態（１３.５６ＭＨＺの電磁波を放出）とし、１分ごとにデータの書込み及び読込みを行って通信状況の変化を観測した。なお、評価は、通信状況に異常がない場合を○とし、エラーが発生した場合を×で評価している。更に、通電開始からエラーが発生するまでの時間を示している。図１１の結果から２５枚のカードのうちおよそ半分のカードが長時間の電磁波放出により何らかの通信障害を生じておいる。最短のものでは２分間で異常が発生しており、この実験結果からも熱による電子データ等破壊や破損等は深刻なものである。
【０００９】
以上の例のように、電磁波の長時間放出による熱から電子データ等を保守するのは、重要な課題である。
【００１０】
そこで、本発明の目的は、ＩＣカードの作動に伴う熱の発生を抑制して、非接触型ＩＣカード自体や記憶されている電子情報等を保守することにある。
【課題を解決するための手段】
【００１１】
上記課題を解決するために、請求項１に記載の発明は、電力供給手段から供給される電力を電磁波に変換し、該電磁波を介して非接触型ＩＣカードと無線交信を行う非接触型ＩＣカードのリーダ／ライタ装置において、
前記非接触型ＩＣカードに対する既存データの読出し時と新規データの書込み時以外の時は電磁波の放出を停止又は抑制する制御手段を備えたことを特徴とする。
【００１２】
請求項２に記載の発明は、請求項１に記載の非接触型ＩＣカードのリーダ／ライタ装置において、前記制御手段は、電力の供給又は停止若しくは抑制を指示する電力供給指示情報を前記電力供給手段に送信することにより、前記電磁波の放出又は停止若しくは抑制を行うことを特徴とする。
【００１３】
請求項３に記載の発明は、請求項２に記載の非接触型ＩＣカードのリーダ／ライタ装置において、前記制御手段は、前記非接触型ＩＣカードからの既存データの読出し時に、当該データを構成するコード群からデータ終了コマンドを判別した場合、前記電力供給指示情報を前記電力供給手段に送信し、前記電磁波の放出又は停止若しくは抑制を行うことを特徴とする。
【００１４】
請求項４に記載の発明は、請求項２又は３に記載の非接触型ＩＣカードのリーダ／ライタ装置において、前記制御手段は、前記新規データの書込み時に、前記電力供給指示情報を前記電力供給手段に送信し前記電磁波の放出を開始することを特徴とする。
【００１５】
請求項５に記載の発明は、請求項１〜４のいずれか一項に記載の非接触型ＩＣカードのリーダ／ライタ装置において、前記制御手段は、前記既存データの読込み時に該データの特定部分を記憶し、前記新規データの書込み時に、前記非接触型ＩＣカードから再度前記既存データを読込み、該既存データ中の前記特定データと対応する部分と前記特定データとが一致する場合に、前記電磁波の供給を開始し前記新規データを書込むことを特徴とする。
【００１６】
請求項６に記載の発明は、請求項５に記載の非接触型ＩＣカードのリーダ／ライタ装置において、前記特定データは、カード識別データ、カード所有者識別データ又はこれらの組合せのいずれか一つであることを特徴とする。
【００１７】
請求項７に記載の発明は、電力供給手段から供給される電力を電磁波に変換し、該電磁波を介して非接触型ＩＣカードと無線交信を行う非接触型ＩＣカードのリーダ／ライタ装置において、前記非接触型ＩＣカードを検出する検出手段と、前記検出手段により前記非接触型ＩＣカードが検出された時点で前記非接触型ＩＣカードに対する既存データの読出しを開始し、当該既存データの読出しが終了した時点で前記電磁波の放出を停止又は抑制を行い、前記非接触型ＩＣカードに書き込むべき新規データが確定した場合に電磁波の放出を開始する制御手段を備えることを特徴とする。
【００１８】
請求項８に記載の発明は、請求項７に記載の非接触型ＩＣカードのリーダ／ライタ装置において、前記検出手段は、前記非接触型ＩＣカードを搭載するカード搭載手段に設けられていることを特徴とする。
【００１９】
請求項９に記載の発明は、請求項７又は８に記載の非接触型ＩＣカードのリーダ／ライタ装置において、前記制御手段は、電力の供給又は停止若しくは抑制を指示する電力供給指示情報を前記電力供給手段に送信することにより、前記電磁波の放出又は停止若しくは抑制を行うことを特徴とする。
【００２０】
請求項１０に記載の発明は、請求項７〜９のいずれか一項に記載の非接触型ＩＣカードのリーダ／ライタ装置において、前記制御手段は、前記非接触型ＩＣカードからの既存データの読出し時に、当該データを構成するコード群からデータ終了コマンドを判別した場合、前記電力供給指示情報を前記電力供給手段に送信し、前記電磁波の放出を停止又は抑制することを特徴とする。
【００２１】
請求項１１に記載の発明は、請求項７〜１０のいずれか一項に記載の非接触型ＩＣカードのリーダ／ライタ装置において、前記制御手段は、前記新規データの書込み時に、前記電力供給指示情報を前記電力供給手段に送信し前記電磁波の放出を開始することを特徴とする。
【００２２】
請求項１２に記載の発明は、請求項７〜１１のいずれか一項に記載の非接触型ＩＣカードのリーダ／ライタ装置において、前記制御手段は、前記既存データの読込み時に該データの特定部分を記憶し、前記新規データの書込み時に、前記非接触型ＩＣカードから再度前記既存データを読込み、該既存データ中の前記特定データと対応する部分と前記特定データとが一致する場合に、前記電磁波の供給を開始し前記新規データを書込むことを特徴とする。
【００２３】
請求項１３に記載の発明は、請求項１２に記載の非接触型ＩＣカードのリーダ／ライタ装置において、前記特定データは、カード識別データ、カード所有者識別データ又はこれらの組合せのいずれか一つであることを特徴とする。
【発明の効果】
【００２４】
請求項１に記載の発明によれば、非接触型ＩＣカードに対するアクセスが必要なときにのみ電磁波を供給し、アクセスが不要なときは電磁波の供給を停止又は抑制することができるので、非接触型ＩＣカードの温度上昇を抑制することができ、既存データの読込み及び新規データの書込み時のエラーの発生を防止することができる。
【００２５】
請求項２に記載の発明によれば、制御手段が電力の供給又は停止若しくは抑制を支持する電力供給指示情報を電力供給手段に送信することで、非接触型ＩＣカードに対するアクセスが必要なときにのみ電磁波を供給し、アクセスが不要なときは電磁波の供給を停止又は抑制することができる。このため、非接触型ＩＣカードの温度上昇を抑制することができ、既存データの読込み及び新規データの書込み時のエラーの発生を防止することができる。
【００２６】
請求項３に記載の発明によれば、制御手段が、非接触型ＩＣカードからの既存データの読出し時に、既存データを構成するコード群からデータ終了コマンドを判別することで電力供給指示情報を前記電力供給手段に送信することが可能となる。このため、非接触型ＩＣカードの発熱時間が短縮され、温度上昇を抑制することができ、既存データの読込み及び新規データの書込み時のエラーの発生を防止することができる。
【００２７】
請求項４に記載の発明によれば、制御手段が、前記新規データの書込み時に、前記電力供給指示情報を前記電力供給手段に送信し前記電磁波の放出を開始するため非接触型ＩＣカードの発熱時間が短縮され、温度上昇を抑制することができ、既存データの読込み及び新規データの書込み時のエラーの発生を防止することができる。
【００２８】
請求項５に記載の発明によれば、制御手段が、新規データを書き込む際に、予め記憶した既存データの特定部分と、再度読み込んだ既存データとの該当部分を対比することが可能となり、読込み時と書込み時とでの非接触型ＩＣカードの同一性を検出することが可能となる。非接触型ＩＣカードの温度上昇を抑制するために電磁波の連続放射を制限すると、制御手段は非接触型ＩＣカードへのアクセスが断片的となり、搭載されているカードが同一のものであるかが判別することができない。この点、本発明により、新規データの書込み等作業中に、非接触型ＩＣカードがすり代わっても、誤ったデータが他の非接触型ＩＣカードに書き込まれることを防止することが可能となり、非接触型ＩＣカードの記録内容の信用を担保したまま既存データの読込み及び新規データの書込み時のエラーの発生を防止することができる。
【００２９】
請求項６に記載の発明によれば、制御手段が対比する特定データが、カード識別データ、カード所有者識別データ又はこれらの組合せ等のユニークな部分であるため、新規データの書込み等作業中におけるカードのすり代わり等に対し、非接触型ＩＣカードの同一性を担保する上で、より確実な対比及び判別が可能となる。
【００３０】
請求項７に記載の発明によれば、非接触型ＩＣカードに対するアクセスが必要なときにのみ電磁波を供給し、アクセスが不要なときは電磁波の供給を停止又は抑制することができるので、非接触型ＩＣカードの温度上昇を抑制することができ、データ読込み及び書込み時のエラーの発生を防止することができる。
【００３１】
請求項８に記載の発明によれば、検出手段が、非接触型ＩＣカードを搭載するカード搭載手段に設けられているため、カードの搭載を物理的に検出することが可能となり、より確実に非接触型ＩＣカードの搭載を検出することが可能となる。
【００３２】
請求項９に記載の発明によれば、制御手段が電力の供給又は停止若しくは抑制を支持する電力供給指示情報を電力供給手段に送信することで、非接触型ＩＣカードに対するアクセスが必要なときにのみ電磁波を供給し、アクセスが不要なときは電磁波の供給を停止又は抑制することができる。このため、非接触型ＩＣカードの温度上昇を抑制することができ、既存データの読込み及び新規データの書込み時のエラー発生を防止することができる。
【００３３】
請求項１０に記載の発明によれば、制御手段が、非接触型ＩＣカードからの既存データの読出し時に、既存データを構成するコード群からデータ終了コマンドを判別することで電力供給指示情報を前記電力供給手段に送信することが可能となる。このため、非接触型ＩＣカードの発熱時間が短縮され、温度上昇を抑制することができ、既存データの読込み及び新規データの書込み時のエラー発生を防止することができる。
【００３４】
請求項１１に記載の発明によれば、制御手段が、前記新規データの書込み時に、前記電力供給指示情報を前記電力供給手段に送信し前記電磁波の放出を開始するため非接触型ＩＣカードの発熱時間が短縮され、温度上昇を抑制することができ、既存データの読込み及び新規データの書込み時のエラーの発生を防止することができる。
【００３５】
請求項１２に記載の発明によれば、請求項５に記載の発明によれば、制御手段が、新規データを書き込む際に、予め記憶した既存データの特定部分と、再度読み込んだ既存データとの該当部分を対比することが可能となり、読込み時と書込み時とでの非接触型ＩＣカードの同一性を検出することが可能となる。非接触型ＩＣカードの温度上昇を抑制するために電磁波の連続放射を制限すると、制御手段は非接触型ＩＣカードへのアクセスが断片的となり、搭載されているカードが同一のものであるかが判別することができない。この点、本発明により、新規データの書込み等作業中に、非接触型ＩＣカードがすり代わっても、誤ったデータが他の非接触型ＩＣカードに書き込まれることを防止することが可能となり、非接触型ＩＣカードの記録内容の信用を担保したまま既存データの読込み及び新規データの書込み時のエラーの発生を防止することができる。
【００３６】
請求項１３に記載の発明よれば、制御手段が対比する特定データが、カード識別データ、カード所有者識別データ又はこれらの組合せ等のユニークな部分であるため、新規データの書込み等作業中におけるカードのすり代わり等に対し、非接触型ＩＣカードの同一性を担保する上で、より確実な対比及び判別が可能となる。
【発明を実施するための最良の形態】
【００３７】
〔第１の実施形態〕
以下、図を用いて、本発明を実施するための最良の形態について説明する。
なお、以下の説明において、非接触型ＩＣカードＲ／Ｗ装置１は、ＩＳＯ（International  Organization  for  Standardization）規格IEC１４４４３で定める近接型の非接触型ＩＣカードで、そのうちのタイプＢの非接触型ＩＣカードに対して電子データの読込みや書込みが可能なＲ／Ｗ装置を用いて説明を行うが、本発明はこれに限定されるものではなく、仕様を異なる他の形式の非接触型ＩＣカードのＲ／Ｗ装置にも適用が可能である。
【００３８】
図１は、本発明を適用した非接触型ＩＣカードＲ／Ｗ装置１の外観構成を示した全体図である。非接触型ＩＣカード２５を搭載するＲ／Ｗ端末部２は、非接触型ＩＣカード２５を搭載するためのＩＣカード搭載部８が設けられている。また、Ｒ／Ｗ端末部２は、ＵＳＢケーブル７を介して、コントロール部３と接続されており、電力の供給とともに電子データの送受信を行うようになっている。ＩＣカード搭載部８の内部には、後述する、アンテナコイルＬ１が設けられており、このアンテナコイルＬ１が放出する電磁波と、非接触型ＩＣカード２５に内蔵されるアンテナコイルＬ２との電磁誘導作用により、ＩＣカード内の電子データがコントロール部３と通信を行うようになっている。
また、コントロール部３には、表示手段としてのモニタ４及び情報入力手段としてのキーボード５及びマウス６が接続されている。
【００３９】
以上の各構成について、図２を用いて詳細に説明する。
図２は、本発明を適用した非接触型ＩＣカードのカードＲ／Ｗ装置１の機能的構成の概要を示したブロック図である。
非接触型ＩＣカードＲ／Ｗ装置１は、非接触型ＩＣカード２５に電磁波を放出し電子情報の読取りや書込みを行うカード搭載手段としてのＲ／Ｗ端末部２と、このＲ／Ｗ端末部２と非接触型ＩＣカード２５とで通信される電子情報の記憶、変更等の処理を行うコントロール部３とからなる。
【００４０】
先ず、Ｒ／Ｗ端末部２について説明する。Ｒ/Ｗ端末部２は、アンテナコイルＬ１、増幅回路１０、正弦波発生回路１１、ＰＳＫ変調器１２、発振器１３、ＰＳＫ復調器１７、Ａ／Ｄ（Analog／Digital）変換器１６、フィルタ回路１５、増幅回路１４及び電源供給手段としての電源回路１８を備えて構成される。
発振器１３は、電源回路１８から電力の供給を受け、１３.５６ＭＨＺの搬送波を発生させてＰＳＫ変調器１２に供給する。ＰＳＫ変調器１２では、後述するＣＰＵ２０ａから供給されるデータに９０度の２位相ＰＳＫ変調を行い、デジタル信号として信号を正弦波発生回路１１に供給する。正弦波発生回路１１で発生されるサイン波をキャリアとしてデジタル信号が増幅回路１０に供給される。増幅回路１０は、非接触型ＩＣカード２５へのデータ（以下、「下りデータ」という。）に対し、アンテナコイルＬ１を作動させ、これにより生ずる電磁波によりデータを出力するようになっている。
【００４１】
また、後述する非接触型ＩＣカード２５からＲ／Ｗ端末部２に出力されるデータ（以下、「上りデータ」という。）を含む電磁波は、アンテナコイルＬ１に受信される。アンテナコイルＬ１により受信された電磁波は、増幅回路１４で増幅されフィルタ回路１５に供給される。フィルタ回路１５は、ノイズ等を除去し必要な信号波形を抽出して上りデータを取り出すものである。このようにして得られた上りデータはＡ／Ｄ変換器１６に供給される。Ａ／Ｄ変換器１６は、入力されたアナログ信号をデジタル信号に変換するものである。このようにデジタル信号に変換された上りデータは、ＰＳＫ復調器１７に供給される。ＰＳＫ復調器１７は、入力信号に対しＰＳＫ復調を行い、上りデータの復調再生を行うようになっている。その後、復調されたデジタル信号は、コントロール部３に出力されるようになっている。
【００４２】
次に、コントロール部３について説明する。第１の実施形態におけるコントロール部３は、汎用のパーソナルコンピュ−タを適用するものである。
コントロール部３は、ＣＰＵ２０ａ、ＲＯＭ２１ａ、ＲＡＭ２２ａ、ＥＥＰＲＯＭ２３ａ、情報入力手段としてのキーボード５、表示手段としてのモニタ４及び外部電源９からなる。ＣＰＵ２０ａは、予め記録されたプログラムに基づいて、カードＲ／Ｗ装置１の機器の全体制御を行うものである。ＲＯＭ２１ａは、オペレーションプログラムや各種のアプリケーションプログラムが記憶された不揮発性のメモリであり、カードＲ／Ｗ装置１の起動プログラムや非接触型ＩＣカード２５と電子情報の読込み及び書込みを行うアプリケーションプログラム等が記憶されている。ＲＡＭ２２ａは、処理結果等が一時的に記憶される揮発性メモリであり、各種の演算処理を行うワークエリアが展開されるものである。ＥＥＰＲＯＭ２３ａは、各種のデータが記憶されるものであり、後述するキーボード５からの入力コマンドに基づいてＣＰＵ２０ａが読み込む各種データ等が格納されるものである。外部電源９は、カードＲ／Ｗ装置１に関わる全ての電力を供給するものである。
又、コントロール部３とＲ／Ｗ端末部２とは、ＵＳＢケーブル７で接続され、上記データの送受信や電力の供給が行われるようになっている。
【００４３】
キーボード５は、情報入力手段であり、これ以外にも、アプリケーションプログラムやカードＲ／Ｗ装置１の使用環境に応じて汎用のマウス又はタッチパネル等を適用することが可能である。また、表示手段であるモニタ４は、非接触型ＩＣカード２５の読込み及び書込みに使用するアプリケーションプログラムに記憶された作業テンプレートやキーボード５から入力される電子情報等を表示するものである。汎用のＣＲＴ（Cathode  Ray  tube）やＴＦＴ（Thin  Film  Transistor）液晶モニタ、プラズマパネル等を適用することができる。
【００４４】
次に、非接触型ＩＣカード２５について説明する。図３は、非接触型ＩＣカードの機能的構成を示したブロック図である。非接触型ＩＣカード２５は、アンテナコイルＬ２、整流回路２６、フィルタ回路２７、定電圧回路２８、クロック回路２９、ＰＳＫ変調器３０、増幅器３１及びデータ処理部３２を備えるものである。
【００４５】
Ｒ／Ｗ端末部２から伝送された伝送データは、アンテナコイルＬ２によって受信され、整流回路２６とクロック回路２９とに供給される。整流回路２６は供給された受信信号をフィルタ回路２７に出力する。フィルタ回路２７は、受信信号からノイズ等を除去し、特定の周波数の信号データ成分を取り出すものである。これにより取り出された信号データは、定電圧回路２８とデータ処理部３２とに供給される。
定電圧回路２８は、上記受信データを一定の直流電圧に平滑し非接触型ＩＣカードの電子回路に電力を供給する。
なお、クロック回路２９に供給された受信信号は、伝送データからデータ処理部３２の動作クロックとＰＳＫ変調器３０の搬送波とを生成するようになっている。
【００４６】
データ処理部３２は、ＣＰＵ３３ｂと、ＲＯＭ３４ｂと、ＲＡＭ３５ｂと、ＥＥＰＲＯＭ３６ｂとからなるものである。以下、動作について説明する。データ処理部３２は、前述したフィルタ回路２７から受けた受信データと、クロック回路２９から受けた動作クロックとに基づいてデータ処理を実行する。具体的には、ＲＯＭ３４ｂに記憶されているプログラムをＣＰＵ３３ｂが実行し、受信データを解析し、解析された制御コマンドに基づいてデータを処理する。このとき制御コマンドが読出しコマンドである場合には、このコマンドが指定するデータが格納されたファイルが記憶されているＥＥＰＲＯＭ３２ｂ等から目的のデータを読出し、ＰＳＫ変調器３０ｂに出力する。ＰＳＫ変調器３０は、この読み出されたデータに応じて、クロック回路２９が供給する搬送波をＰＳＫ変調し、増幅器３１に変調信号を送信する。増幅器３１は、この変調信号を電力増幅し、アンテナコイルＬ２を介してＲ／Ｗ端末部２に電磁波を伝送するようになっている。
【００４７】
次に、第１の実施形態におけるＲ／Ｗ端末部２及びコントロール部３で行われる制御について説明する。第１の実施形態におけるカードＲ／Ｗ装置１は、上り及び下りデータの送受信を行う度に電磁波の放出時間を制御することを特徴とする。即ち、非接触型ＩＣカード２５に新規なデータを書き込む（下りデータ）場合に、電源回路１８に非接触型ＩＣカード２５が正常に作動するのに十分な電磁波を放出できるように、ＣＰＵ２０ａの制御に基づいて基準電力が供給されアンテナコイルＬ１から電磁波（１３.５６ＭＨＺ）を放出する。また同様に、非接触型ＩＣカード２５から予め記憶されたデータ（上りデータ）を読み込み終わると電源回路１８に対する電力の供給を低減して、非接触型ＩＣカード２５への電磁波の放出時間を短縮して発熱を抑制するようになっている。具体的には、非接触型ＩＣカード２５のアンテナコイルＬ２、定電圧回路２８及びデータ処理部３２における各電子素子等の発熱を抑制する。
なお、ここで、基準電力の低減とは、基準電力より低い電力の供給はもちろん、電力の停止を含む意味である。
【００４８】
図４は、Ｒ／Ｗ端末部２及びコントロール部３の動作手順を示したフロー図である。ＣＰＵ２０ａは、基準電力の供給コマンドを電源回路１８に送信する（ステップ：Ｓ１）。電源回路１８は、基準電力の供給コマンドが入力されると、発振器１３に電力の供給を開始する（ステップ：Ｓ２）。
電力の供給により、上述したようにＲ／Ｗ端末部２の各回路素子が順次作動し、アンテナコイルＬ１を中心として電磁界を形成する。この電磁界の中で非接触型ＩＣカード２５の作動に必要な電力を発生することができる磁力を有する領域（第１の実施形態ではアンテナコイルＬ１を中心に半径略１０ｃｍの領域）に非接触型ＩＣカード２５が進入すると、非接触型ＩＣカード２５の各回路素子の作用により、アンテナコイルＬ２からＥＥＰＲＯＭ３６ｂ等に記憶された既存データがアンテナコイルＬ１に送信される。その後、既存データ（上りデータ）は、Ｒ／Ｗ端末部２の各回路素子の作用によりＣＰＵ２０ａに入力される（ステップ：Ｓ３）。
既存データが入力されたＣＰＵ２０ａは、この複数のブロックデータ群からなる既存データの終了を意味するＥＯＤ（End  of  Date）コマンドを判別する（ステップ：Ｓ４）。このときＥＯＤコマンドが検出されると（ステップ：Ｓ４：ＹＥＳ）、ＣＰＵ２０ａは、基準電力の供給低減コマンドを電源回路１８に送信し（ステップ：Ｓ５）、電力の供給が低減される（ステップ：Ｓ６）。
これにより、アンテナコイルＬ１からの電磁波の放出が停止され、非接触型ＩＣカード２５内部での発熱も抑制されることとなる。
【００４９】
また、ステップＳ３でＣＰＵ２０ａに入力された既存データ（上りデータ）は、ＲＯＭ２１ａに記憶されているアプリケーションプログラムに基づいて演算処理がなされ、モニタ４上にテキストや画像等として表示される。この表示されたテキスト等の内容の変更又は追加、即ち、キーボード５等の操作により入力された新規データが作成され、ＲＡＭ２２ａあるいはＥＥＰＲＯＭ２３ａに記憶される。
その後、新規データを非接触型ＩＣカード２５に書き込むために、キーボード５の書込み決定キーが操作され書込み決定信号がＣＰＵ２０ａに入力されると（ステップ：Ｓ７）、ＣＰＵ２０ａは再び基準電力の電力供給コマンドを電源回路１８に送信し（ステップ：Ｓ８）、発振器１３に基準電力の供給を開始する（ステップ：Ｓ９）。その後、ＣＰＵ２０ａは、新規データをＲ／Ｗ端末部２に送信する（ステップ：Ｓ１０）。また、送信するデータの量とコントロール部３、Ｒ／Ｗ端末部２及び非接触型ＩＣカード２５との処理速度の関係により予め記憶されている書込み予定時間データをＲＯＭ２１ａから読込み（ステップ：Ｓ１１）、この書込み予定時間データと現在の書込み時間を対比する（ステップ：Ｓ１２）。現在の書込み時間データが予め記憶された書込み予定時間データと一致する場合は（ステップ：Ｓ１３：ＹＥＳ）、ＣＰＵ２０ａは、基準電力の電力低減コマンドを電源回路１８に出力し（ステップ：Ｓ１４）、電源回路１８は電力の供給を停止する（ステップ：Ｓ１５）。
【００５０】
なお、上記動作手順の説明におけるステップＳ４で、ＣＰＵ２０ａは、非接触型ＩＣカードから送信される上りデータの読取りに際し、ＥＯＤコマンド検出した場合にデータの終了を判別することとされているが、この他に、ＣＰＵ２０ａが読み取った上りデータのデータ量が予め定められたデータ量になった場合に、データの終了を判別する構成としてもよい。
更には、ステップＳ１１〜ステップＳ１３で、書込み予定時間データと現在の書込み時間とが一致することで、基準電力の供給低減コマンドを出力して電源を低減させる構成としているが、この他に、新規データを送信した後非接触型ＩＣカードのＣＰＵ３３ｂからレスポンスデータを受信する構成として、このレスポンスデータが正常終了レスポンスである場合に、基準電力の供給低減コマンドを送信することとしてもよい。以下に、説明する。なお重複する動作手順は同一符号を付して説明を省略する。
【００５１】
図５に示すように、ステップＳ３で、既存データ（上りデータ）が、Ｒ／Ｗ端末部２の各回路素子の作用によりＣＰＵ２０ａに入力されると（ステップ：Ｓ３）。ＣＰＵ２０ａは、例えば、申請者の氏名データ、住所データ及び識別番号データ等の規定項目のデータ量であるかを判別する（ステップＳ１０４）。予定されたデータ量である場合には（ステップＳ１０４：ＹＥＳ）、ＣＰＵ２０ａは、基準電力の供給低減コマンドを電源回路１８に送信し（ステップ：Ｓ５）、電力の供給が低減される（ステップ：Ｓ６）。
また、ステップＳ１１０で、ＣＰＵ２０ａは、例えば、変更等がなされた氏名データ、住所データ及び識別番号データ等の新規データとともに、これらデータの書込みを指示するコマンド及びデータの受信を示すレスポンスデータを要求するレスポンスデータ要求コマンドを非接触型ＩＣカードのＣＰＵ３３ｂに送信する（ステップＳ１１０）。ＣＰＵ３３ｂでは、この各種のデータ、書込みコマンド及びレスポンスデータ要求コマンドを受信し、その後レスポンスデータをＣＰＵ２０ａに送信する。ＣＰＵ２０ａがレスポンスデータを受信し（ステップＳ１１１）、このレスポンスデータが、送受信の正常終了を示すものであるかが判別される（ステップＳ１１２）。正常終了をしめすものであれば（ステップＳ１１２：ＹＥＳ）、基準電力の電力低減コマンドを電源回路１８に送信し（ステップＳ１４）、正常終了を示すものでない場合は（ステップＳ１１２：ＮＯ）、再び上記氏名等の各種のデータ、書込み指示コマンド及びレスポンスデータ要求コマンドをＣＰＵ３３ｂに送信する（ステップＳ１１０）。
なお、以上の説明において、ステップＳ１０４で入力データの終了を判断するのに、データ量以外に、更新申請者等の氏名、住所及び識別番号等の入力データ項目の数が規定数になった場合に、データの終了を判別する構成としてもよい。この処理を行う場合は、ステップＳ１０４で、ＣＰＵ２０ａは、入力されるデータの規定項目数を判断することとなる。
【００５２】
以上のように、第１の実施形態におけるカードＲ／Ｗ装置１によれば、非接触型ＩＣカード２５が、Ｒ／Ｗ端末部２に搭載されているときは、既存データの読込み及び書込みのときのみに電磁波を放出することから、カードの過剰な発熱を抑制することが可能となる。このため、非接触型ＩＣカード２５のＥＥＰＲＯＭ３６ｂあるいはＲＯＭ３４ｂに記憶されている個人情報等の各種電子データの破壊や破損を防ぐことが可能となる。上述したように、図１０のように、住民基本台帳カード等は、担当者Ｍ１と申請者Ｍ２の対面による応答を通して手続が進行される場合も多い。特に、公官庁やインフラ産業等の手続では、デジタルデバイダや高齢者等も含めた万人が確実に手続を行う必要があることから、現場での説明時間も多く、この傾向が強いといえる。このため、申請項目等の入力作業等で非接触型ＩＣカード２５に電磁波が供給されつづける時間も比較的長時間に及ぶこともある。この点、第１の実施形態によるカードＲ／Ｗ装置１は、電子情報の読込み及び／又は書込みのときに電磁波を供給するため、電磁波の放出時間を短時間にすることが可能となり非接触型ＩＣカードの確実且つ安全な取扱いを可能とする。
【００５３】
なお、第１の実施形態では、Ｒ／Ｗ端末部２への電力供給が、ＵＳＢケーブル７を介してコントロール部３から行われる構成としているが、Ｒ／Ｗ端末部２に独自の外部電源を有する構成としてよい。更には、コントロール部３とＲ／Ｗ端末部２を独立させずに、両者を一体として構成することも当然に可能である。
更に、上記動作手順ステップＳ１１以降で、新規データの書込みに要する電力を確保するために電磁波を放出する予め定められた時間とは、非接触型ＩＣカードの通信異常が生じない時間内であることを示す。例えば、８ビットで９６００ｂｉｔ／ｓｅｃの通信速度であれば、住民基本台帳カードを始めとして、非接触型ＩＣカードに一般に期待されるデータ量は１０秒程度である。よって、図１１の実験結果からも明らかなように最大でも１分以内の時間で有れば実用に十分である。
【００５４】
〔第２の実施形態〕
本発明を実施するための最良の形態における第２の実施形態について説明する。
図６は、本発明を適用した非接触型カードＲ／Ｗ装置５０の機能的構成を示したブロック図である。なお、第２の実施形態における非接触型ＩＣカードＲ／Ｗ装置５０は第１の実施形態の非接触型ＩＣカードＲ／Ｗ装置１と共通する部分が多い。従って、同一の機能及び作用を奏するものは、同一の符号を用いて説明を省略するものとする。
【００５５】
第２の実施形態における非接触型ＩＣカードＲ／Ｗ装置５０は、Ｒ／Ｗ端末部５１に、非接触型ＩＣカード２５の載置を検出する手段である光電センサ５２を備えるものである。光電センサ５２は、ＵＳＢケーブル７を介してＣＰＵ２０ａと接続され、検出信号の出力を行うことが可能となっている。第２の実施形態における非接触型カードＲ／Ｗ装置５０はこの検出信号に基づいて、ＣＰＵ２０ａがアンテナコイルＬ１から放出される電磁波を制御等することを特徴とするものである。
【００５６】
カード検出手段は、非接触型ＩＣカード２５がＲ／Ｗ端末部２に搭載されていることが検出できるものであればよく、音波センサ、物理的なスイッチ（例えばＩＣカードの自重により押圧されてＯＮ状態となる押圧スイッチ）等も適用可能である。第２の実施形態では、フォトダイオードを用いた光電センサ５２を適用するものである。具体的な設置場所としては、例えば、図７に示すように、Ｒ／Ｗ端末部５１のＩＣカード搭載部８等が好ましい。なお、ＩＣカード搭載面は非接触型ＩＣカードより若干広い平滑の形状を有する。このため、ＩＣカード搭載部８の上であれば、光電センサ５２の設置場所は特段制限されるものではないが、より確実のために中央よりに設置するのがより好ましい。又、光電センサ５２は、ＩＣカード搭載部８に載置された非接触型ＩＣカード２５に対して赤外線を投射する赤外線投射素子及びこの赤外線を受光する赤外線受光素子からなる。非接触型ＩＣカード２５が光電センサ５２を覆うことで、赤外線投射素子が投射する赤外線が非接触型ＩＣカードに反射される。この反射された赤外線を赤外線受光素子が受光することにより非接触型ＩＣカードがＩＣカード搭載部８に搭載されたことを検出するようになっている。なお、赤外線投射素子と赤外線受光素子とを対向させる位置に備え、非接触型ＩＣカード２５が載置されていない時には赤外線を受光する構成とし、この両者の間に非接触型ＩＣカード２５が載置されて赤外線を遮断することで、非接触型ＩＣカード２５の搭載を検出するようにすることも可能である。
【００５７】
以下に、第２の実施形態におけるＲ／Ｗ端末部２及びコントロール部３の動作手順、図８に示すフロー図を用いて説明する。
Ｒ／Ｗ端末部２のＩＣカード搭載部８に、非接触型のＩＣカード２５が載置されると、光電センサ５２は非接触型ＩＣカード２５の存在を検知し、検出信号をＣＰＵ２０ａに出力する（ステップ：Ｓ２１）。
検出信号が入力されたＣＰＵ２０ａは、非接触型ＩＣカード２５が搭載されたことを判別し、電源回路１８に基準電力供給コマンドを送信する（ステップ：Ｓ２２）。電力供給コマンドを受信した電源回路１８は、発振器１３に基準電力の供給を開始する（ステップ：Ｓ２３）。
その後、第１の実施形態と同様に、各回路素子の作用により非接触型ＩＣカード２５のＥＥＰＲＯＰＭ３６ｂ等に記憶されている既存データが、ＣＰＵ２０ａに入力される（ステップ：Ｓ２４）。ＣＰＵ２０ａは、受信したデータ中から、データファイルの終了を示すＥＯＤコードの判別を開始し（ステップ：Ｓ２５）、検出すると（ステップ：Ｓ２５：ＹＥＳ）、電源回路１８に基準電力の電力停止コマンドを送信する（ステップ：Ｓ２６）。電源回路１８は、この電力停止コマンドを受信すると発振器１３への電力の供給を低減する（ステップ：Ｓ２７）。
また、ＣＰＵ２０ａに送信された既存データ自体は、アプリケーションソフトとＣＰＵ２０ａとの協働により、キーボード５からの入力に従って内容等の編集が行われる。これにより新規データが作成される。編集により作成された新規データは、ＲＡＭ２２ａ等に一時的に保存がなされ、その後、キーボード５の書込み決定キーの操作により書込み決定信号が入力されると（ステップ：Ｓ２８）、ＣＰＵ２０ａは、電源回路１８に電力供給コマンドを送信する（ステップ：Ｓ２９）。電源回路１８は、発振器１３に電力供給を開始し（ステップ：Ｓ３０）、各回路素子の作用によりアンテナコイルＬ１から電磁波が放出され非接触型ＩＣカード２５に電力が供給される。その後、ＣＰＵ２０ａは新規データをＲＡＭ２２ａ等から読出しＲ／Ｗ端末部２に送信する（ステップ：Ｓ３１）。送信された新規データは、各回路素子を介してアンテナコイルＬ１から非接触型ＩＣカード２５のアンテナコイルＬ２に伝搬されて非接触型ＩＣカード２５のＥＥＰＲＯＭ３６ｂ等に書き込まれるようになっている。
更に、ＣＰＵ２０ａは、ＲＯＭ２１ａ等に予め記憶されている伝送時間データを読み込み（ステップ：Ｓ３２）、新規データ送信からの経過時間と伝送時間データとを対比する（ステップ：Ｓ３４）。その結果、新データ送信からの経過時間が伝送時間データと一致する場合に（ステッ：Ｓ３４：ＹＥＳ）、基準電力の供給低減コマンドを電源回路１８に送信し（ステップ：Ｓ３５）、電源回路１８は、発振器１３への電力の供給を低減する（ステップ：Ｓ３６）。
【００５８】
なお、第２の実施形態における動作手順においても、第１の実施形態と同様に、上記ステップＳ２５及びＳ３１〜Ｓ３４を以下の手順とすることもできる。即ち、上記動作手順の説明におけるステップＳ２５で、ＣＰＵ２０ａは、非接触型ＩＣカードから送信される上りデータの読取りに際し、ＥＯＤコマンド検出した場合にデータの終了を判別することとされているが、この他に、ＣＰＵ２０ａが読み取った上りデータのデータ量が予め定められたデータ量になった場合に、データの終了を判別する構成としてもよい。
また、ステップＳ３１〜ステップＳ３４で、書込み予定時間データと現在の書込み時間とが一致することで、基準電力の供給低減コマンドを出力して電源を低減させる構成としているが、この他に、新規データを送信した後非接触型ＩＣカードのＣＰＵ３３ｂからレスポンスデータを受信する構成として、このレスポンスデータが正常終了レスポンスである場合に、基準電力の供給低減コマンドを送信することとしてもよい。以下に、説明する。なお重複する動作手順は同一符号を付して説明を省略する。
【００５９】
図９に示すように、ステップＳ３で、既存データ（上りデータ）が、Ｒ／Ｗ端末部２の各回路素子の作用によりＣＰＵ２０ａに入力されると（ステップ：Ｓ２４）。ＣＰＵ２０ａは、例えば、申請者の氏名データ、住所データ及び識別番号データ等の規定項目のデータ量であるかを判別する（ステップＳ２２５）。予定されたデータ量である場合には（ステップＳ２２５：ＹＥＳ）、ＣＰＵ２０ａは、基準電力の供給低減コマンドを電源回路１８に送信し（ステップ：Ｓ２６）、電力の供給が低減される（ステップ：Ｓ２７）。
また、ステップＳ２３１で、ＣＰＵ２０ａは、例えば、変更等がなされた氏名データ、住所データ及び識別番号データ等の新規データとともに、これらデータの書込みを指示するコマンド及びデータの受信を示すレスポンスデータを要求するレスポンスデータ要求コマンドを非接触型ＩＣカードのＣＰＵ３３ｂに送信する（ステップＳ２３１）。ＣＰＵ３３ｂでは、この各種のデータ、書込みコマンド及びレスポンスデータ要求コマンドを受信し、その後レスポンスデータをＣＰＵ２０ａに送信する。ＣＰＵ２０ａがレスポンスデータを受信し（ステップＳ２３２）、このレスポンスデータが、送受信の正常終了を示すものであるかが判別される（ステップＳ２３３）。正常終了をしめすものであれば（ステップＳ２３３：ＹＥＳ）、基準電力の電力低減コマンドを電源回路１８に送信し（ステップＳ１４）、正常終了を示すものでない場合は（ステップＳ２３３：ＮＯ）、再び上記氏名等の各種のデータ、書込み指示コマンド及びレスポンスデータ要求コマンドをＣＰＵ３３ｂに送信する（ステップＳ２３１）。
なお、以上の説明において、ステップＳ２２５で入力データの終了を判断するのに、データ量以外に、更新申請者等の氏名、住所及び識別番号等の入力データ項目の数が規定数になった場合に、データの終了を判別する構成としてもよい。この処理を行う場合は、ステップＳ２２５で、ＣＰＵ２０ａは、入力されるデータの規定項目数を判断することとなる。
【００６０】
以上のように、第２の実施形態における非接触型ＩＣカードＲ／Ｗ装置５０によれば、非接触型ＩＣカード２５の搭載を検出する光電センサ５２からの検出信号に基づいて電磁波が放出されるため、装置の未使用時の省電力を始め、Ｒ／Ｗ端末部２に近接してある非接触型ＩＣカード等があっても発熱等の影響を及ぼす虞がなく安全である。
また、上記ステップＳ１１以降で、新規データの書込みに要する電力を確保するために電磁波を放出する予め定められた時間とは、非接触型ＩＣカードの通信異常が生じない時間内であることはいうまでもない。例えば、８ビットで９６００bit／secの通信速度であれば、住民基本台帳カードを始めとして、非接触型ＩＣカードに一般に期待されるデータ量は１０秒程度である。よって、図１１の実験結果からも明らかなように最大でも１分以内の時間で有れば実用に十分である。
【００６１】
又、第１の実施形態と同様に、データのやり取りを行うとき以外は電磁波の放出時間を制御することが可能であり、非接触型ＩＣカード２５の各種内蔵素子の発熱を抑制することが可能であり、記憶されているデータの保守及びカードの溶解等の危険も防止することが可能となる。
【００６２】
なお、上記光電センサ５２の検出信号は、電力供給の開始を示すのみならず、非接触型ＩＣカード２５の認証用として使用することも可能である。例えば、一般に、ＩＣカードは、予め定められた特定の個人や法人用の使用を前提とする場合がほとんどである。そのため、このようなＩＤ（Identification）性に鑑み、カードの使用に際しては、先ず、最初に個人ＩＤデータが機器に読み込まれるようになっている。
しかしながら、当初Ｒ／Ｗ装置５０に搭載したＩＣカードが、作業途中で突発的にすりかわる虞もある。このため、安全上並びにＩＣカードの信頼性維持の上で、作業途中でのＩＤの確認は重要である。このような問題に対しても、第２の実施形態におけるカードの検出手段（光電センサ５２等）を応用することができる。
【００６３】
即ち、既存データを読み込み、コントロール部３で既存データの変更等が行われ、これらを非接触型ＩＣカード２５に書き込む一連の動作手順の中で、光電センサ５２からの検出信号に変化がある場合には、動作を中断あるいは書込みを中止するようにしてもよい。即ち、第２の実施形態における制御手順（図７のフロー図参照）におけるデータのやり取りの全てあるいは任意の手順に、「光電センサ５２からの検出信号に変化がないか？」という判断処理を追加する。これにより、各処理手順の間で光電センサ５２の検出信号に変化がある場合（例えば、途中で検出信号が切断される等）は、非接触型ＩＣカード２５が、すり替えられたあるいはその虞があるとして新データの書込み等を中止することができる。この結果、非接触型ＩＣカード２５内の電子データの信頼性や安全性を高く維持することができる。
【００６４】
又、他の例としては、第１の実施形態及び第２の実施形態の両方に適用可能であるが、当初非接触型ＩＣカード２５と通信した時のカードＩＤ（Identifier）やカード所有者ＩＤ等の個々のＩＣカードに特有のユニークな部分をＲＡＭ２２ａ等に記憶しておき、新規データの書込みの前に、一度非接触型ＩＣカード２５と通信を行い、当初記憶したユニーク部分と対比し、該当部分が一致する場合に新規データを送信するようにしてもよい。
【００６５】
以上、本発明を実施するための最良の形態について説明したが、本発明はこれら種々の例に限定されるものではない。
【図面の簡単な説明】
【００６６】
【図１】第１の実施形態における非接触型ＩＣカードＲ／Ｗ装置の外観構成を示した概要図である。
【図２】第１の実施形態における非接触型ＩＣカードＲ／Ｗ装置の機能的構成を示したブロック図である。
【図３】第１及び第２の実施形態における非接触型ＩＣカードの機能的構成を示したブロック図である。
【図４】第１の実施形態における非接触型ＩＣカードＲ／Ｗ装置の動作手順を示したフロー図である。
【図５】第１の実施形態における非接触型ＩＣカードＲ／Ｗ装置の動作手順を示したフロー図である。
【図６】第２の実施形態における非接触型ＩＣカードＲ／Ｗ装置の機能的構成を示したブロック図である。
【図７】第２の実施形態における非接触型ＩＣカードＲ／Ｗ装置のＲ／Ｗ端末部の外観構成を示した概要図である。
【図８】第２の実施形態における非接触型ＩＣカードＲ／Ｗ装置の動作手順を示したフロー図である。
【図９】第２の実施形態における非接触型ＩＣカードＲ／Ｗ装置の動作手順を示したフロー図である。
【図１０】本発明に係る非接触型ＩＣカードＲ／Ｗ装置の一使用例を示した模式図である。
【図１１】非接触型ＩＣカードと電磁波とによる熱が及ぼす電子データ通信状況の比較についての実験結果を示した表である。
【符号の説明】
【００６７】
１  非接触型ＩＣカードＲ／Ｗ装置
２  Ｒ／Ｗ端末部
３  コントロール部
４  モニタ
５  キーボード
６  マウス
７  ＵＳＢケーブル
８  ＩＣカード搭載部
９  外部電源
１０  増幅回路
１１  正弦波発生回路
１２  ＰＳＫ変調器
１３  発振器
１４  増幅器
１５  フィルタ回路
１６  Ａ／Ｄ変換器
１７  ＰＳＫ変調器
１８  電源回路
２０ａ  ＣＰＵ
２１ａ  ＲＯＭ
２２ａ  ＲＡＭ
２３ａ  ＥＥＰＲＯＭ
２５  非接触型ＩＣカード
２６  整流回路
２７  フィルタ回路
２８  定電圧回路
２９  クロック回路
３０  ＰＳＫ変調器
３１  増幅器
３２  データ処理部
３３ｂ  ＣＰＵ
３４ｂ  ＲＯＭ
３５ｂ  ＲＡＭ
３６ｂ  ＥＥＰＲＯＭ
５０  非接触型ＩＣカードＲ／Ｗ装置
５１  Ｒ／Ｗ端末部
５２  光電センサ
Ｌ１  アンテナコイル
Ｌ２  アンテナコイル
Ｍ１  担当者
Ｍ２  申請者
【図１】
2006195730.tif 000003
【図２】
2006195730.tif 000004
【図３】
2006195730.tif 000005
【図４】
2006195730.tif 000006
【図５】
2006195730.tif 000007
【図６】
2006195730.tif 000008
【図７】
2006195730.tif 000009
【図８】
2006195730.tif 000010
【図９】
2006195730.tif 000011
【図１０】
2006195730.tif 000012
【図１１】
2006195730.tif 000013